(57)【要約】【課題】基地局圏外に所在する移動無線機の位置情報を管理することを目的とする。【解決手段】複数の移動無線機と基地局１３との間で無線通信を行う無線通信システムに用いる移動無線機１１であって、ＧＰＳ衛星１４からの電波を受信するＧＰＳアンテナ２１と、ＧＰＳアンテナ２１で受信した信号から自己の位置を測定し位置情報として出力するＧＰＳ受信部２２と、自身の移動無線機に固有の第１移動無線機ＩＤを位置情報に付加する制御部２３と、制御部から位置情報及び第１移動無線機ＩＤを受け、送受信アンテナを介して一定周期で他の移動無線機へ位置情報及び第１移動無線機ＩＤを送信する送受信部２４と、を備える。【選択図】図２
2010232944.tif 000002
【特許請求の範囲】
【請求項１】
複数の移動無線機と基地局との間で無線通信を行う無線通信システムに用いる移動無線機であって、
ＧＰＳ衛星からの電波を受信するＧＰＳアンテナと、
前記ＧＰＳアンテナで受信した信号から自己の位置を測定し位置情報として出力するＧＰＳ受信部と、
自身の前記移動無線機固有の第１移動無線機ＩＤを前記位置情報に付加する制御部と、
前記制御部から前記位置情報及び前記第１移動無線機ＩＤを受け、送受信アンテナを介して一定周期で他の前記移動無線機へ前記位置情報及び前記第１移動無線機ＩＤを送信する送受信部と、を備える移動無線機。
【請求項２】
前記送受信部における一定周期の送信に代えて、外部操作による手動で前記位置情報及び前記第１移動無線機ＩＤを送信することを特徴とする、請求項１に記載の移動無線機。
【請求項３】
前記送受信部が前記他の移動無線機として前記位置情報及び前記第１移動無線機ＩＤを受信した場合に、
前記制御部は、自己に固有の第２移動無線機ＩＤを前記位置情報及び前記第１移動無線機ＩＤに付加し、
前記送受信部は、前記送受信アンテナを介して前記位置情報及び前記第１移動無線機ＩＤ及び前記第２移動無線機ＩＤを前記基地局に送信することを特徴とする、請求項１又は２に記載の移動無線機。
【請求項４】
前記送受信部は、前記基地局と通信を行う基地局用送受信部と、
前記他の移動無線機として通信を行う移動局用送受信部と、を備えることを特徴とする、請求項３に記載の移動無線機。
【請求項５】
前記他の移動無線機として受信した前記位置情報及び前記第１移動無線機ＩＤを保存する記憶部を備えることを特徴とする、請求項３又は４に記載の移動無線機。
【請求項６】
複数の移動無線機と基地局との間で無線通信を行う無線通信システムに用いる基地局であって、
請求項３〜５のいずれかに記載の移動無線機から前記位置情報及び前記第１移動無線機ＩＤ及び前記第２移動無線機ＩＤを受信し、これを位置情報管理装置へ送信することを特徴とする基地局。
【請求項７】
請求項６に記載の基地局に付設される位置情報管理装置であって、前記基地局から前記位置情報及び前記第１移動無線機ＩＤ及び前記第２移動無線機ＩＤを受け、これに基づいて前記基地局圏外の前記移動無線機の位置を表示することを特徴とする位置情報管理装置。
【発明の詳細な説明】
【技術分野】
【０００１】
この発明は、移動無線機の位置情報管理に関する。
【背景技術】
【０００２】
一般的な移動無線機の位置情報管理システムは、ＧＰＳを内蔵する移動無線機がＧＰＳ衛星から自己の位置情報を受信し、取得した位置情報を基地局に送信する。そして、基地局は位置情報管理装置に移動無線機の位置情報を送信し、位置情報管理装置が地図上に移動無線機の位置を表示していた。
【０００３】
しかし、このような位置情報管理システムでは、移動無線機が基地局のサービス圏外に所在する場合、移動無線機はＧＰＳ衛星から取得した位置情報を基地局へ通知することが出来ないため、位置情報管理装置において位置情報の管理を行う事ができない。
【０００４】
サービス圏外にある移動無線機の位置情報管理方法として、特許文献１や特許文献２に記載のものが提案されている。
【０００５】
特許文献１は、車載移動電話のサービス圏外において車両などに緊急事態が生じた場合に、自己の位置情報を含めた緊急情報をサービスセンターに通知する方法として、同一装置を搭載した他の車両に送信する方法を提案している。
【０００６】
特許文献２も、車載携帯電話の通話圏外で車両に緊急事態が生じた場合、狭帯域通信で他の車両に緊急情報を送信し、通話圏内であれば携帯電話からサービスセンターに緊急情報を送信する方法を提案している。
【先行技術文献】
【特許文献】
【０００７】
【特許文献１】特開２０００−３０６１８１号公報
【特許文献２】特開２００３−０３６４９３号公報
【発明の概要】
【発明が解決しようとする課題】
【０００８】
しかしながら、特許文献１や特許文献２の技術によれば、緊急事態が生じていない移動無線機が基地局圏外に所在する場合、ＧＰＳ衛星から取得した位置情報を基地局へ通知することが出来ず、位置情報管理装置にてシステム中の全ての移動無線機の位置情報の管理を行えないという問題点がある。
【０００９】
そこで、本発明は上述の問題点に鑑み、移動無線機が基地局圏外に所在する場合にも位置情報の管理を行う技術の提供を目的とする。
【課題を解決するための手段】
【００１０】
本発明の移動無線機は、複数の移動無線機と基地局との間で無線通信を行う無線通信システムに用いる移動無線機であって、ＧＰＳ衛星からの電波を受信するＧＰＳアンテナと、ＧＰＳアンテナで受信した信号から自己の位置を測定し位置情報として出力するＧＰＳ受信部と、自身の移動無線機に固有の第１移動無線機ＩＤを位置情報に付加する制御部と、制御部から位置情報及び第１移動無線機ＩＤを受け、送受信アンテナを介して一定周期で他の移動無線機へ位置情報及び第１移動無線機ＩＤを送信する送受信部と、を備える。
【発明の効果】
【００１１】
本発明の移動無線機は、送受信アンテナを介して一定周期で他の移動無線機へ位置情報及び第１移動無線機ＩＤを送信する。よって、自身の移動無線機が基地局圏外にある場合、他の移動無線機が基地局圏内にあれば当該他の移動無線機を中継して基地局へ自身の位置情報を送信することができ、システム中の全ての移動無線機の位置情報管理を行う事が出来る。
【図面の簡単な説明】
【００１２】
【図１】本発明に係る無線通信システムの構成図である。
【図２】実施の形態１に係る移動無線機の構成図である。
【図３】実施の形態２に係る移動無線機の構成図である。
【図４】本発明の前提となる無線通信システムの構成図である。
【発明を実施するための形態】
【００１３】
（実施の形態１）
＜前提技術＞
図４は、本発明の前提となる無線通信システムの構成を示す図である。無線通信システムは、ＧＰＳ内蔵の移動無線機３１と、基地局３２、基地局３２に併設された位置情報管理装置を備えている。
【００１４】
移動無線機３１はＧＰＳ衛星３３から受信した自己の位置情報を、無線回線及び基地局３２を経由して位置情報管理装置３４へ通知する。位置情報管理装置３４により移動無線機３１の位置情報管理がなされる。
【００１５】
しかし、このような構成では、移動無線機３１が基地局圏外に所在する場合、ＧＰＳ衛星３３から取得した位置情報を基地局３２へ通知することが出来ないため、位置情報管理装置３４にて位置情報の管理が行えない。
【００１６】
＜構成＞
図１は実施の形態１に係る無線通信システムの構成図である。実施の形態１に係る無線通信システムは、基地局１３と、基地局１３のサービスエリア外（圏外）に在るＧＰＳ内蔵の圏外移動無線機１１と、基地局１３のサービスエリア内（圏内）にあるＧＰＳ内蔵の圏内移動無線機１２と、移動無線機１１の位置情報を移動無線機１１に送信するＧＰＳ衛星１４と、移動無線機１１，１２の位置情報を管理する基地局に併設された位置情報管理装置１５と、を備えている。
【００１７】
図２は、移動無線機１１、１２の構成を示すブロック図である。移動無線機１１，１２は、ＧＰＳアンテナ２１、ＧＰＳ受信部２２、制御部２３、送受信部２４、送受信部アンテナ２５、操作部２６、記憶部２７を備えている。
【００１８】
ＧＰＳ受信部２２は、ＧＰＳアンテナを介してＧＰＳ衛星１４からの電波を受信し、移動無線機１１の位置を測定する。制御部２３は、ＧＰＳ受信部２２や送受信部２４から受ける情報に自己の移動無線機ＩＤを付加する。送受信部２４は、送受信部アンテナ２５を用いて位置情報等の送受信を行う。操作部２６は外部からの手動操作を受ける。
【００１９】
＜動作＞
圏外移動無線機１１の動作について説明する。ＧＰＳ受信部２２は、ＧＰＳアンテナ２１を介してＧＰＳ衛星１４からの電波を受け、移動無線機１１の位置を測定する。取得した位置情報は制御部２３に送られ、制御部２３はこれに移動無線機１１が有する圏外移動無線機ＩＤを付加する。位置情報と移動無線機ＩＤは制御部２３から送受信部２４を経由し、送受信部アンテナ２５から直接通信周波数ｆ3で外部に送信される。これらの位置情報と移動無線機ＩＤは、送受信部２４から一定周期毎に繰り返し送信される。あるいは、一定周期の自動送信だけでなく、操作部２６において外部からの手動操作で送信することも可能である。
【００２０】
すなわち、実施の形態１に係る移動無線機は、複数の移動無線機と基地局１３との間で無線通信を行う無線通信システムに用いる移動無線機（圏外移動無線機１１）であって、ＧＰＳ衛星１４からの電波を受信するＧＰＳアンテナ２１と、ＧＰＳアンテナ２１で受信した信号から自己の位置を測定し位置情報として出力するＧＰＳ受信部２２と、自身の移動無線機固有の第１移動無線機ＩＤ（圏外移動無線機ＩＤ）を位置情報に付加する制御部２３と、制御部２３から位置情報及び圏外移動無線機ＩＤを受け、送受信アンテナ２５を介して一定周期で他の移動無線機（圏内移動無線機１２）へ位置情報及び第１移動無線機ＩＤを送信する送受信部２４と、を備える。これにより、基地局圏外にある圏外移動無線機１１であっても、基地局圏内にある圏内移動無線機１２に位置情報等を送信することによって、圏内移動無線機１２を中継して基地局１３に位置情報等を送ることができ、基地局側にてシステム中の全ての移動無線機の位置情報管理を行う事が出来る。
【００２１】
あるいは、上述の送受信部２４における一定周期の送信に代えて、外部操作による手動で位置情報及び第１移動無線機ＩＤ（圏外移動無線機ＩＤ）を送信する。これにより、ユーザーの手動操作によって随時基地局１３に自己の位置情報等を送ることができ、基地局側にて位置情報管理を行う事が出来る。
【００２２】
次に、圏内移動無線機１２の動作について説明する。送受信部２４は、送受信部アンテナ２５を介して圏外の移動無線機１１から直接通信周波数ｆ3で送信された位置情報と圏外移動無線機ＩＤを受け、これらを制御部２３に送る。制御部２３は記憶部２７に位置情報と移動無線機ＩＤに保存するとともに、これに自己の移動無線機１２のＩＤである圏内移動無線機ＩＤを付加して、送受信部２４に送る。送受信部２４は圏外移動無線機１１の位置情報、圏外移動無線機ＩＤ、圏内移動無線機ＩＤを送受信部アンテナ２５から基地局通信上り周波数ｆ2で基地局１３へ送信する。圏内移動無線機１２は、圏外移動無線機１１から位置情報と圏外移動無線機ＩＤを受信する度に上記の動作を行う。
【００２３】
すなわち、実施の形態１の移動無線機（圏内移動無線機１２）において、送受信部２４が他の移動無線機（圏外移動無線機１１）として位置情報及び第１移動無線機ＩＤ（圏外移動無線機ＩＤ）を受信した場合に、制御部２３は、自己に固有の第２移動無線機ＩＤ（圏内移動無線機ＩＤ）を位置情報及び圏外移動無線機ＩＤに付加し、送受信部２４は、送受信アンテナ２５を介して位置情報及び圏外移動無線機ＩＤ及び圏内移動無線機ＩＤを基地局１３に送信する。圏外に在る圏外移動無線機１１の位置情報等を基地局１３に送信することにより、圏外移動無線機１１の位置情報管理がなされる。
【００２４】
又、実施の形態１の移動無線機（圏内移動無線機１２）は、他の移動無線機（圏内移動無線機１２）として受信した位置情報及び第１移動無線機ＩＤ（圏外移動無線機ＩＤ）を保存する記憶部２７を備える。これにより、一旦受信した圏外移動無線機１１の位置情報等を記憶部２７に保存し、その後所定のタイミングでこれらを基地局１３に送信することが出来る。
【００２５】
基地局１３は、圏内移動無線機１２から基地局通信上り周波数ｆ2で受信した圏外移動無線機１１の位置情報及び圏外移動無線機ＩＤ及び圏内移動無線機ＩＤを、位置情報管理装置１５へ送信する。位置情報管理装置１５はこれを用いて圏外移動無線機１１の位置を地図上に表示することが出来る。
【００２６】
すなわち、実施の形態１に係る基地局は、複数の移動無線機と基地局１３との間で無線通信を行う無線通信システムに用いる基地局１３であって、圏内移動無線機１２から位置情報及び第１移動無線機ＩＤ（圏外移動無線機ＩＤ）及び第２移動無線機ＩＤ（圏内移動無線機ＩＤ）を受信し、これを位置情報管理装置１５へ送信する。これにより、位置情報管理装置１５で圏外移動無線機１１の位置情報管理を行う事が出来る。
【００２７】
又、実施の形態１に係る位置情報管理装置は、基地局１３に付設される位置情報管理装置１５であって、基地局１３から位置情報及び第１移動無線機ＩＤ（圏外移動無線機ＩＤ）及び第２移動無線機ＩＤ（圏内移動無線機ＩＤ）を受け、これに基づいて基地局圏外の移動無線機（圏外移動無線機１１）の位置を表示することを特徴とする。これにより、圏外移動無線機１１の位置情報管理が可能となる。
【００２８】
＜効果＞
実施の形態１に係る移動無線機は、複数の移動無線機と基地局１３との間で無線通信を行う無線通信システムに用いる移動無線機（圏外移動無線機１１）であって、ＧＰＳ衛星１４からの電波を受信するＧＰＳアンテナ２１と、ＧＰＳアンテナ２１で受信した信号から自己の位置を測定し位置情報として出力するＧＰＳ受信部２２と、自身の移動無線機固有の第１移動無線機ＩＤ（圏外移動無線機ＩＤ）を位置情報に付加する制御部２３と、制御部２３から位置情報及び圏外移動無線機ＩＤを受け、送受信アンテナ２５を介して一定周期で他の移動無線機（圏内移動無線機１２）へ位置情報及び第１移動無線機ＩＤを送信する送受信部２４と、を備える。これにより、基地局圏外に圏外移動無線機１１であっても、基地局圏内にある圏内移動無線機１２に位置情報等を送信することによって、圏内移動無線機１２を中継して基地局１３に位置情報等を送ることができ、基地局側にてシステム中の全ての移動無線機の位置情報管理を行う事が出来る。
【００２９】
あるいは、上述の送受信部２４における一定周期の送信に代えて、外部操作による手動で位置情報及び第１移動無線機ＩＤ（圏外移動無線機ＩＤ）を送信する。これにより、ユーザーの手動操作によって随時基地局１３に自己の位置情報等を送ることができ、基地局側にて位置情報管理を行う事が出来る。
【００３０】
又、実施の形態１の移動無線機（圏内移動無線機１２）において、送受信部２４が他の移動無線機（圏外移動無線機１１）として位置情報及び第１移動無線機ＩＤ（圏外移動無線機ＩＤ）を受信した場合に、制御部２３は、自己に固有の第２移動無線機ＩＤ（圏内移動無線機ＩＤ）を位置情報及び圏外移動無線機ＩＤに付加し、送受信部２４は、送受信アンテナ２５を介して位置情報及び圏外移動無線機ＩＤ及び圏内移動無線機ＩＤを基地局１３に送信する。圏外に在る圏外移動無線機１１の位置情報等を基地局１３に送信することにより、圏外移動無線機１１の位置情報管理がなされる。
【００３１】
さらに、実施の形態１の移動無線機（圏内移動無線機１２）は、他の移動無線機（圏内移動無線機１２）として受信した位置情報及び第１移動無線機ＩＤ（圏外移動無線機ＩＤ）を保存する記憶部２７を備える。これにより、一旦受信した圏外移動無線機１１の位置情報等を記憶部２７に保存し、その後所定のタイミングでこれらを基地局１３に送信することが出来る。
【００３２】
実施の形態１に係る基地局は、複数の移動無線機と基地局１３との間で無線通信を行う無線通信システムに用いる基地局１３であって、圏内移動無線機１２から位置情報及び第１移動無線機ＩＤ（圏外移動無線機ＩＤ）及び第２移動無線機ＩＤ（圏内移動無線機ＩＤ）を受信し、これを位置情報管理装置１５へ送信する。これにより、位置情報管理装置１５で圏外移動無線機１１の位置情報管理を行う事が出来る。
【００３３】
実施の形態１に係る位置情報管理装置は、基地局１３に付設される位置情報管理装置１５であって、基地局１３から位置情報及び第１移動無線機ＩＤ（圏外移動無線機ＩＤ）及び第２移動無線機ＩＤ（圏内移動無線機ＩＤ）を受け、これに基づいて基地局圏外の移動無線機（圏外移動無線機１１）の位置を表示することを特徴とする。これにより、圏外移動無線機１１の位置情報管理が可能となる。
【００３４】
（実施の形態２）
＜構成＞
実施の形態１では、圏内移動無線機１２が位置情報及び圏外移動無線機ＩＤの中継動作のみを行うことを想定していた。しかし、圏外移動無線機１１から位置情報等が送信される時に、圏内移動無線機が基地局通信中であることも考えられる。
【００３５】
そこで、実施の形態２の無線通信システムでは、圏内移動無線機１２が基地局通信中であっても圏外移動無線機１１からの位置情報及び圏外移動無線機ＩＤを中継できる構成とする。
【００３６】
図３は、実施の形態２に係る無線通信システムにおける圏内移動無線機１２の構成を示したブロック図である。圏内移動無線機１２は、実施の形態１における送受信部２４に相当するものとして、基地局通信用送受信部２８と、圏外移動無線機１１との通信用である直接通信用送受信部２９の２系統を備える。その他の構成は実施の形態１と同様であるため、説明を省略する。
【００３７】
すなわち、実施の形態２に係る移動無線機において、送受信部は、基地局１３と通信を行う基地局用送受信部２８と、他の移動無線機として（圏外移動無線機１１と）通信を行う移動局用送受信部２９と、を備えることを特徴とする。これにより、基地局１３と通信をしている間にも移動局用送受信部２９によって圏外移動無線機１１から位置情報等を受信し、これらを一旦記憶部２７に保存して基地局１３との通信が終わった後に基地局用送受信部２８から基地局１３に送信することが出来る。
【００３８】
＜動作＞
圏内移動無線機１２は、基地局通信下り周波数ｆ1と基地局通信上り周波数ｆ2で基地局と通信を行う。その最中に圏外移動無線機１１から直接通信周波数ｆ3で位置情報及び圏外移動無線機ＩＤを受信した場合、圏内移動無線機１２は実施の形態１と同様に制御部２３まで情報を受信した後、圏外移動無線機１１の位置情報及び圏外移動無線機ＩＤを受信時刻と併せて記憶部２７に保存する。
【００３９】
圏内移動無線機１２は、通信終了後に記憶部２７に保存した圏外移動無線機１１の位置情報、圏外移動無線機ＩＤ及び受信時刻を基地局１３へ基地局通信上り周波数ｆ2で送信する。あるいは、制御部２３で圏内移動無線機ＩＤを付加して、これも共に送信する。
【００４０】
又、圏内移動無線機１２が基地局と通信していないときに圏外移動無線機１１からの受信があった場合は、記憶部２７に保存することなくそのまま基地局１３へ送信することも可能である。
【００４１】
すなわち、移動局用送受信部２９が圏外移動無線機１１から直接通信周波数ｆ3で位置情報及び圏外移動無線機ＩＤを受信すると、これを制御部２３に送る。制御部２３では受信した位置情報及び圏外移動無線機ＩＤに、圏内移動無線機ＩＤを付加して移動局用送受信部２９に送る。移動局用送受信部２９は位置情報及び圏外移動無線機ＩＤ及び圏内移動無線機ＩＤを基地局１３に上り周波数ｆ2で送信する。
【００４２】
上記の動作は、圏外移動無線機１１から位置情報及び移動無線機ＩＤを受信する度に繰り返される。
【００４３】
基地局１３は、圏内移動無線機１２が中継した圏外移動無線機１１の位置情報、圏外移動無線機ＩＤ及び受信時刻（及び圏内移動無線機ＩＤ）を受信し、位置情報管理装置１５へ送信する。位置情報管理装置１５ではこれらを用いて、地図上に受信時刻時点での圏外移動無線機１１の位置を表示することが可能となる。
【００４４】
なお、実施の形態２では圏内移動無線機１２の送受信部を２系統とすることで、基地局通信と圏外移動無線機１１との通信を同時に行い得る構成としたが、基地局通信専用の圏内移動無線機と、圏外移動無線機１１との直接通信専用の圏内移動無線機の２台設けた場合にも、同様の作用効果を奏する。
【００４５】
すなわち、直接通信専用の圏内移動無線機が圏外移動無線機１１から位置情報及び圏外移動無線機ＩＤを受信すると、これを基地局通信専用の圏内移動無線機に送り、基地局通信専用の圏内移動無線機が基地局に当該位置情報等を送信する。こうした構成にすることにより、情報収集が高速化される。
【００４６】
＜効果＞
実施の形態２に係る移動無線機において、送受信部は、基地局１３と通信を行う基地局用送受信部２８と、他の移動無線機として（圏外移動無線機１１と）通信を行う移動局用送受信部２９と、を備えることを特徴とする。これにより、基地局１３と通信をしている間にも移動局用送受信部２９によって圏外移動無線機１１から位置情報等を受信し、これらを一旦記憶部２７に保存して基地局１３との通信が終わった後に基地局用送受信部２８から基地局１３に送信することが出来る。
【符号の説明】
【００４７】
１１  圏外移動無線機、１２  圏内移動無線機、１３，３２  基地局、１４，３３  ＧＰＳ衛星、１５，３４  位置情報管理装置、２１  ＧＰＳアンテナ、２２  ＧＰＳ受信部、２３  制御部、２４  送受信部、２５  送受信部アンテナ、２６  操作部、２７  記憶部、２８  基地局用送受信部、２９  移動局用送受信部、３１  移動無線機。
【図１】
2010232944.tif 000003
【図２】
2010232944.tif 000004
【図３】
2010232944.tif 000005
【図４】
2010232944.tif 000006